【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
裏面銀電極と、裏面アルミニウムグリッド線と、裏面パッシベーション層と、Ｐ型シリコンと、Ｎ型エミッタと、表面窒化シリコン膜と、表面銀電極とをこの順に含み、前記裏面銀電極は、前記裏面アルミニウムグリッド線に垂直に接続され、前記裏面アルミニウムグリッド線には、グリッド線背骨が設置され、前記裏面アルミニウムグリッド線の周りに、アルミニウムグリッド外枠が設置され、前記グリッド線背骨が前記裏面アルミニウムグリッド線に接続され、前記アルミニウムグリッド外枠は、前記裏面アルミニウムグリッド線および前記裏面銀電極に接続され、
裏面パッシベーション層には、レーザグルービングによって第１のレーザグルービング領域が形成され、前記裏面アルミニウムグリッド線は、前記第１のレーザグルービング領域を介してＰ型シリコンに接続され、
前記第１のレーザグルービング領域は、水平方向に設置された複数組の第１のレーザグルービングユニットを含み、各組の第１のレーザグルービングユニットは、水平方向に設置された一つまたは複数の第１のレーザグルービング体を含み、前記裏面アルミニウムグリッド線は、前記第１のレーザグルービング体と垂直であり、
前記アルミニウムグリッド外枠の下方には、第２のレーザグルービング領域が設置され、前記第２のレーザグルービング領域は、鉛直方向または水平方向に設置された第２のレーザグルービングユニットを含み、各組の第２のレーザグルービングユニットは、鉛直方向または水平方向に設置された一つまたは複数の第２のレーザグルービング体を含み、前記アルミニウムグリッド外枠は、前記第２のレーザグルービング体と垂直であり、
前記第１のレーザグルービングユニット同士は、平行に設置され、
各第１のレーザグルービングユニットにおいて、前記第１のレーザグルービング体は、並列に設置され、前記第１のレーザグルービング体は、同一の水平面に位置するか、または、上下にずらして位置し、
前記第１のレーザグルービングユニット同士の間隔は、０.５〜５０ｍｍであり、
各第１のレーザグルービングユニットにおいて、前記第１のレーザグルービング体同士の間隔は、０.５〜５０ｍｍであり、
前記第１のレーザグルービング体の長さは、５０〜５０００μｍであり、前記第１のレーザグルービング体の幅は、１０〜５００μｍであり、
前記リッド線背骨が、前記裏面アルミニウムグリッド線に垂直に接続され、
前記リッド線背骨の下方に、第３のレーザグルービング領域が設置され、前記第３のレーザグルービング領域は、複数組の第３のレーザグルービングユニットを含み、各組の第３のレーザグルービングユニットは、鉛直方向に設置された一つまたは複数の第３のレーザグルービング体を含み、前記第３のレーザグルービング体は、前記リッド線背骨と垂直であり、前記グリッド線背骨は、前記第３のレーザグルービング体を介してＰ型シリコンに接続される
ことを特徴とするＰ型ＰＥＲＣ両面太陽電池。
【請求項２】
前記裏面アルミニウムグリッド線の数は、３０〜５００本であり、前記グリッド線背骨の数は、３０〜５００本であり、
前記裏面アルミニウムグリッド線の幅は、３０〜５００μｍであり、前記第１のレーザグルービング体の長さよりも小さく、
前記グリッド線背骨の幅は、３０〜５００μｍであり、前記第３のレーザグルービング体の長さよりも小さい
ことを特徴とする請求項１に記載のＰ型ＰＥＲＣ両面太陽電池。
【請求項３】
前記グリッド線背骨のパターンは、一つの連続的な直線、又は複数の線分からなる破線であり、
前記グリッド線背骨は、銀ペーストから製造され、幅が３０〜６０μｍであり、又は、アルミニウムペーストから製造され、幅が５０〜５００μｍである
ことを特徴とする請求項２に記載のＰ型ＰＥＲＣ両面太陽電池。
【請求項４】
請求項１〜３のいずれか１項に記載のＰ型ＰＥＲＣ両面太陽電池の製造方法であって、
Ｐ型シリコンであるシリコンウエハの表面と裏面に、テクスチャ構造を形成するステップ（１）と、
前記シリコンウエハに対して拡散処理を施して、前記Ｎ型エミッタを形成するステップ（２）と、
拡散処理時に形成された表面のリンケイ酸ガラスと周辺のＰＮ接合とを除去するステップ（３）と、
前記シリコンウエハの裏面に酸化アルミニウム膜を堆積するステップ（４）と、
前記シリコンウエハの裏面に窒化シリコン膜を堆積するステップ（５）と、
前記シリコンウエハの表面に窒化シリコン膜を堆積するステップ（６）と、
水平方向に設置された複数組の第１のレーザグルービングユニットを含み、各組の第１のレーザグルービングユニットは、水平方向に設置された一つまたは複数の第１のレーザグルービング体を含む前記第１のレーザグルービング領域を形成するように、前記シリコンウエハの裏面にレーザグルービングするステップ（７）と、
前記シリコンウエハの裏面に裏面銀バスバー電極を印刷するステップ（８）と、
前記シリコンウエハの裏面に、レーザグルービングと垂直な方向に沿ってアルミニウムペーストを印刷して、前記第１のレーザグルービング体と垂直である前記裏面アルミニウムグリッド線を得ており、且つ、裏面アルミニウムグリッド線の周りに沿ってアルミニウムペーストを印刷して、前記アルミニウムグリッド外枠を得るステップ（９）と、
前記シリコンウエハの裏面に前記グリッド線背骨を印刷するステップ（１０）と、
前記シリコンウエハの表面に表面電極ペーストを印刷するステップ（１１）と、
前記シリコンウエハを高温で焼結して、前記裏面銀電極と前記表面銀電極とを形成するステップ（１２）と、
前記シリコンウエハに対して、ＬＩＤを抑制するためのアニーリング処理を施すステップ（１３）と、を含む、
ことを特徴とするＰ型ＰＥＲＣ両面太陽電池の製造方法。
【請求項５】
ステップ（３）と（４）の間に、前記シリコンウエハの裏面を研磨するステップをさらに含む、
ことを特徴とする請求項４に記載のＰ型ＰＥＲＣ両面太陽電池の製造方法。
【請求項６】
ステップ（７）は、前記シリコンウエハの裏面にレーザグルービングして、第２のレーザグルービング領域と第３のレーザグルービング領域とを形成することを、さらに含み、
前記第２のレーザグルービング領域は、鉛直方向または水平方向に設置された第２のレーザグルービングユニットを含み、各組の第２のレーザグルービングユニットは、鉛直方向または水平方向に設置された一つまたは複数の第２のレーザグルービング体を含み、前記第２のレーザグルービング体は、前記アルミニウムグリッド外枠と垂直であり、
前記第３のレーザグルービング領域は、複数組の第３のレーザグルービングユニットを含み、各組の第３のレーザグルービングユニットは、鉛直方向に設置された一つまたは複数の第３のレーザグルービング体を含み、前記第３のレーザグルービング体は前記グリッド線背骨と垂直である、
ことを特徴とする請求項５に記載のＰ型ＰＥＲＣ両面太陽電池の製造方法。
【請求項７】
ＰＥＲＣ太陽電池と封止材とを含むＰＥＲＣ太陽電池モジュールであって、
前記ＰＥＲＣ太陽電池は、請求項１〜３のいずれか1項に記載のＰ型ＰＥＲＣ両面太陽電池である、
ことを特徴とするＰＥＲＣ太陽電池モジュール。
【請求項８】
ＰＥＲＣ太陽電池を含むＰＥＲＣ太陽エネルギーシステムであって、
前記ＰＥＲＣ太陽電池は、請求項１〜３のいずれか1項に記載のＰ型ＰＥＲＣ両面太陽電池である、
ことを特徴とするＰＥＲＣ太陽エネルギーシステム。